(57)【特許請求の範囲】
【請求項１】
カバーが本体に対して揺動可能に支持されるカバーの開閉装置において、
前記カバーは、前記揺動の中心側に形成された軸部と、前記軸部よりも開放端側に配されガイド孔が形成された突出部とを有し、
前記本体は、前記軸部が係脱可能に係合する係合凹部と、前記突出部のガイド孔と弾性的に係合する係合ピンとを備え、
前記係合凹部は、前記係合ピン側に開口し前記軸部を移動可能に支持する断面Ｕ字形状の溝部であることを特徴とするカバーの開閉装置。
【請求項２】
前記ガイド孔は、略円弧形状の長孔であり、
前記カバーの開閉により、前記カバーの軸部及び係合ピンが前記溝部及びガイド孔内を移動するものであるところの請求項１記載のカバーの開閉装置。
【請求項３】
前記ガイド孔は、カバーより下方に突出する突出板部に形成され、
前記係合ピンは、前記係合ピンがガイド孔に係合される際に、前記突出板部を前記係合ピンの先端側に移動させる案内面を有するものであるところの請求項１又は２記載のカバーの開閉装置。
【請求項４】
前記係合ピンの案内面は、前記溝部が位置する側とは反対側の部分にのみ形成されているところの請求項３記載のカバーの開閉装置。
【請求項５】
前記突出板部は、側縁の下端部と中間部において、第１及び第２の切り欠きが形成される一方、前記本体に、第１又は第２の切り欠きに係脱可能に係合する係合部を有する板バネ部材が設けられており、
前記カバーが前記本体に対し開放された状態で、第１の切り欠きに係合部が係合する一方、前記カバーが前記本体に対し閉じられた状態で、第２の切り欠きに係合するところの請求項３又は４記載のカバーの開閉装置。
【発明の詳細な説明】
【０００１】
【発明の属する技術分野】
本発明は、主として、複写機、プリンタ、ファクシミリ装置などの画像形成装置において用いられるカバーの開閉装置に関する。
【０００２】
【従来の技術】
従来、画像形成装置では、一般に、本体ケース内に、画像形成のための用紙を給紙する給紙ユニット、感光体ドラムとこれに対するトナー供給用の現像装置及び転写ローラを内蔵するプロセスユニット、感光体ドラムに静電潜像を形成するためのスキャナユニット、用紙に転写されたトナー像を加熱定着する定着ユニット、これらユニットにおける回転部品を駆動する駆動モータ、及び伝動歯車列、さらには制御機器や電源部がそれぞれ収納されている。また、ファクシミリ装置では、原稿読み取りユニットが収納されている。
【０００３】
そして、それらの各ユニットの保守点検などが容易となるように、本体ケースの開口部をカバーで開閉可能に覆い、そのカバーを開くことで、各ユニットを収納する本体ケースの内部が開放されるように構成されている。
【０００４】
そのようなカバーの開閉装置として、例えば図９に示すように、カバー１０１に延長部分１０２を介して軸部１０２ａを形成し、該軸部１０２ａを、本体ケース１０３側に形成された断面Ｕ溝形状の係合凹部１０４に係脱可能に係合すると共に、前記カバー１０１が開かれる側において前記カバー１０１にガイド孔１０５ａを有する突出板部１０５を形成し、該突出板部１０５のガイド孔１０５ａに前記本体ケース１０３の内部に設けた係合ピン１０６を弾性的に係合することにより、前記カバー１０１を前記本体ケース１０３に開閉可能に支持することが考えられる。
【０００５】
【発明が解決しようとする課題】
しかしながら、そのような構造であると、係合凹部１０４が後側に開口する断面Ｕ溝形状であるので、軸部１０２ａの挿入の際に、カバー後端部１０１ａが、本体ケース１０３の後部突出部１０３ａと干渉しないように設計する必要がある。そのため、この後部突出部１０３ａは係合凹部１０４からかなり離さなければならなくなり、その間のスペースは、画像形成装置を構成する他の部品等を配設できないデッドスペースとなる等、スペース的に設計上の制約を受け、装置の小型化が図れない。
【０００６】
本発明は、かかる点に鑑みてなされたもので、カバーを本体に対して容易に装着できると共に、使用中には不用意にカバーが外れてしまうことがなく、しかも画像形成装置の設計自由度を高め、装置全体の小型化にも貢献することができるカバーの開閉装置を提供することを目的とする。
【０００７】
【課題を解決するための手段】
請求項１の発明は、カバーが本体に対して揺動可能に支持されるカバーの開閉装置において、前記カバーは、前記揺動の中心側に形成された軸部と、前記軸部よりも開放端側に配されガイド孔が形成された突出部とを有し、前記本体は、前記軸部が係脱可能に係合する係合凹部と、前記突出部のガイド孔と弾性的に係合する係合ピンとを備え、前記係合凹部は、前記係合ピン側に開口し前記軸部を移動可能に支持する断面Ｕ字形状の溝部であることを特徴とする。
【０００８】
請求項１の発明によれば、本体の係合凹部が、前記係合ピン側に開口する断面Ｕ字形状の溝部であり、スペース的に制約のないカバーの開放端側から軸部を挿入することが可能となり、カバーに形成された軸部が係合凹部に無理なく挿入される。
【０００９】
請求項２の発明は、請求項１のカバーの開閉装置において、前記ガイド孔が、略円弧形状の長孔であり、前記カバーの開閉により、前記カバーの軸部及び係合ピンが前記溝部及びガイド孔内を移動するものである。
【００１０】
請求項２の発明によれば、カバーの軸部及び係合ピンが前記溝部及びガイド孔内を移動することで、カバーの開閉が無理なくかつ確実に行われる。
【００１１】
請求項３の発明は、請求項１又は２のカバーの開閉装置において、前記ガイド孔が、カバーより下方に突出する突出板部に形成され、前記係合ピンが、前記係合ピンがガイド孔に係合される際に、前記突出板部を前記係合ピンの先端側に移動させる案内面を有するものである。
【００１２】
請求項３の発明によれば、係合ピンがガイド孔に係合される際に、係合ピンの案内面によって、前記突出板部が前記係合ピンの先端側に移動せしめられ、係合ピンがガイド孔に無理なく係合される。
【００１３】
請求項４の発明は、請求項３のカバーの開閉装置において、前記係合ピンの案内面が、前記溝部が位置する側とは反対側の部分にのみ形成されているものである。
【００１４】
請求項４の発明によれば、係合ピンの案内面が、前記溝部が位置する側とは反対側の部分にのみ形成され、カバーの開閉の際に、前記案内面に案内されて突出板部が係合ピンよりも抜けるのが防止される。
【００１５】
請求項５の発明は、請求項３又は４のカバーの開閉装置において、前記突出板部が、側縁の下端部と中間部において、第１及び第２の切り欠きが形成される一方、前記本体に、第１又は第２の切り欠きに係脱可能に係合する係合部を有する板バネ部材が設けられており、前記カバーが前記本体に対し開放された状態で、第１の切り欠きに係合部が係合する一方、前記カバーが前記本体に対し閉じられた状態で、第２の切り欠きに係合するものである。
【００１６】
請求項５の発明によれば、カバーが本体に対し開放された状態では、突出板部の第１の切り欠きに板バネ部材の係合部が係合することで開放状態が弾性的に維持され、カバーが前記本体に対し閉じられた状態では、第２の切り欠きに係合することで閉止状態が弾性的に維持される。
【００１７】
【発明の実施の形態】
以下、本発明の実施の形態を図面に沿って説明する。
【００１８】
図１は本発明に係るカバーの開閉装置を採用する画像形成装置の一例としてのファクシミリ装置における、内部構造を省略して示す第１のカバーの開閉装置の説明図、図２は同装置において第１のカバーが開放された状態を示す説明図である。
【００１９】
ファクシミリ装置１の本体ケーシング８１は、上端が開口し上方より見て略四角形状の筐体からなるもので、合成樹脂から形成されている。本体ケーシング８１には、それの上端開口８１ａを覆う第１のカバー８２が開閉可能に装着されている。第１のカバー８２は、左右両側部に下方に延長された基部８２ａを有し、該基部２ａにおいて回転軸８３により上方へ開放可能に軸支されている。
【００２０】
この第１のカバー８２の開閉装置は、図１及び図２に示すように、本体ケーシング８１に第１の支持フレーム８６Ａが取付固定され、該第１の支持フレーム８６Ａに、前記回転軸８３によりカム部材８４が取り付けられる一方、第１のカバー８２側には、前記第１の支持フレーム８６Ａに対し前記回転軸８３を介して回転可能に連結された第２の支持フレーム８６Ｂが取付固定され、該第２の支持フレーム８６Ｂに前記カム部材８４のカム面８４ａを摺動する断面長円形状の当接係合部８５ａを先端に有する可動ロッド部材８５がスライド可能に設けられている。よって、前記第１の支持フレーム８６Ａは、回転軸８３を介して第２の支持フレーム８６Ｂに回転可能に連結され、また、前記回転軸８３によって、カム部材８４が第１の支持フレーム８６Ａに取り付けられていることになる。
【００２１】
また、前記カム部材８４は、図３に拡大して示すように、前記回転軸８３の軸線と平行に形成されるとともに前記可動ロッド部材８５よりの押圧力を受けて前記本体ケーシング８１側の部分に当接する平面部８４ｂを有する。また、前記カム部材８４は、さらに、前記第１の支持フレーム８６Ａに係合することにより、前記平面部８４ｂが第１の支持フレーム８６Ａから離れるのを規制する規制部８４ｃを有する。
【００２２】
前記可動ロッド部材８５は、第２の支持フレーム８６Ｂに形成された支持部８６ａ支持されており、前記断面長円形状の当接係合部８５ａと、それに連設された断面円形状の軸部８５ｂとを有し、この軸部８５ｂの周囲に、第１のカバー８２の閉止状態において可動ロッド部材８５の当接係合部８５ａをカム部材４のカム面８４ａに当接する方向に付勢するコイルスプリング８７が設けられている。このコイルスプリング８７は、可動ロッド部材８５を支持する第２の支持フレーム８６Ｂに形成された支持部８６ａ内に収納されており、軸部８５ｂの周囲に巻装されている。尚、コイルスプリング８７の自然長は、支持部８６ａの内側の幅Ｌ（図３参照）よりも短くされている。
【００２３】
前記当接係合部８５ａは、先端面がカム面８４ａに当接する一方、後端面がコイルスプリング８７の端面に当接するようになっている。前記第２の支持フレーム８６Ｂの支持部８６ａには、可動ロッド部材８５の当接係合部８５ａ及び軸部８５ｂの断面形状に対応した大きさを有するがコイルスプリング８７の径よりも小径である貫通孔８６ｃ，８６ｄを有し、可動ロッド部材８５のみを貫通状態で支持しており、可動ロッド部材８５の進退動作のみによってコイルスプリング８７の長さが変化せしめられるようになっている。そして、第１のカバー８２が閉じられた状態では、可動ロッド部材８５が後退せしめられ、コイルスプリング８７が当接係合部８５ａによって最大圧縮状態に圧縮されて、第１のカバー８２が開く方向にスプリング力が作用している。
【００２４】
また、前記第１のカバー８２と本体ケーシング８１とは、本体ケーシング８１に対する第１のカバー８２の開度を一定の範囲内に規制するために帯状のストッパ部材９１にて連結されている。前記ストッパ部材９１の下端部は、本体ケーシング８１にネジ９２にてネジ止めされ、上端部は、図４に示すように、その上端部に形成された仮止め用孔８１ａを第２の支持フレーム８６Ｂの突起部８６ｂに係合させた仮止め状態で、第２の支持フレーム８６Ｂにネジ９３にてネジ止めされるようになっている。
【００２５】
よって、図示しない第１のカバー８２の本体ケーシング８１に対する係止手段による係止が解除されると、前記コイルスプリング８７のスプリング力が可動ロッド部材８５を前進させる方向に作用し、第１のカバー８２の開度を徐々に大きくするようになる。すなわち、第１のカバー８２が閉鎖状態から開放状態への移行を開始すると、カム面８４ａと当接係合部８５ａとの係合関係から、コイルスプリング８７のスプリング力によって、第１のカバー８２を通じて受ける荷重を相殺して開放動作を容易にする。
【００２６】
それから、第１のカバー８２が本体ケーシング８１に対して第１の設定角度になったときに、図２に示すように、ストッパ部材９１が伸張状態となり、それ以上の開放が規制される。この状態では、コイルスプリング８７は若干圧縮された状態にあり、第１のカバー８２が閉じるためには、コイルスプリング８７をさらに圧縮しなければならないことから、第１のカバー８２に対し何らかの荷重が作用しないと、第１のカバー８２はその開放状態に保持されることになる。
【００２７】
尚、ストッパ部材９１による規制を解除すれば、前記コイルスプリング８７のスプリング力によってさらに第１のカバー８２は開かれ、第２の設定角度（所定角度）となったときに、コイルスプリング８７が自然長となるような無負荷面（カム面）に当接することとなる。
【００２８】
また、前記第１のカバー８２の先端寄りの中央部分には、上側に操作パネルなどが設けられた第２のカバー９４が開閉可能に装着されている。
【００２９】
第２のカバー９４は、図５及び図６に示すように、基端部側の左右側部において、回転軸部９５が延長部９５ａを介して左右方向に突出して設けられ、第１のカバー８２の左右後側の側部に形成された係合凹部９６である、後述の係合ピン９７側に開口する略Ｕ字形状の溝部９６ａに、前記回転軸部９５が係脱可能に係合されている。
【００３０】
また、第２のカバー９４の基端部側の左右両端部付近においては、半円弧形状のガイド孔９８ａ（長孔）を有する突出板部９８が下方に突出するように設けられ、該ガイド孔９８ａに、第１のカバー８２の両側部に設けられた係合ピン９７が係脱可能に係合している。
【００３１】
このように、回転軸部９５と溝部９６ａとの係合関係、ガイド孔９８ａと係合ピン９７との係合関係により、それらは、相対的に、摺動可能にかつ回転可能に嵌め込まれていることとなり、本体である第１のカバー８２に対し第２のカバー９４を開閉可能に支持するようになっている。すなわち、第２のカバー９４の開閉により、前記第１のカバー８２側の回転軸部９５及び係合ピン９７が前記溝部９６ａ及びガイド孔９８ａ内を移動することになる。
【００３２】
前記係合ピン９７は、図６に示すように、前記係合ピン９７がガイド孔９８ａに係合される際に、前記突出板部９８を前記係合ピン９７の先端側に移動させる斜面又は曲面状の案内面９７ａを有し、該案内面９７ａに突出板部９８を下方向に押し付けることにより、その下縁が係合ピン９７の案内面９７ａに案内されて、ガイド孔９８ａに無理なく嵌挿されるように構成されている。さらに、前記係合ピン９７の案内面９７ａは、前記溝部９６ａが位置する側とは反対側の部分にのみ形成され、残りの部分であるＤカット部９７ｂは、円柱の４分の１を切り取った形状になっており、第２のカバー９４の開閉動作中には当該Ｄカット部９７ｂが前記突出板部９８の内壁面９８ｄと当接することにより前記案内面９７ａに不用意に案内されて、前記嵌挿が解除されないように構成されている。
【００３３】
また、突出板部９８の側縁には、下端部と中間部において、第１及び第２の切り欠き９８ｂ，９８ｃが形成され、第１のカバー８２側に設けた板バネ部材９９の先端係合部９９ａに係脱可能に係合するようになっている。
【００３４】
前記板バネ部材９９は、幅の狭い薄板状のバネ鋼からなり、バネ部材９９の基端部が第１のカバー８２に取付固定されている。また、バネ部材９９の先端係合部９９ａは略山形形状に屈曲形成されており，第２のカバー９２を開放した状態で、突出板部９８の第１の切り欠き９８ｂは先端係合部９９ａの上面に載るように係脱可能に係合し、第２のカバー９２が開放状態に保持される。突出板部９８の第２の切り欠き９８ｃは、先端係合部９９ａに対応する略山形に形成されており、第２のカバー９２を完全に閉じた状態で板バネ部材９９の先端係合部９９ａに嵌まり込み、その閉じた状態を維持するようになっている。
【００３５】
図７は本発明に係るカバーの開閉装置を備えるファクシミリ装置の内部構造の概略構成図である。
【００３６】
図７に示すように、このファクシミリ装置１の本体ケース２内には、画像形成のための用紙を給紙するフィーダユニット１０と、レーザスキャナユニット２５や感光ドラム２１を有するレーザプリンタ２０と、原稿読み取り装置７０と、感光ドラム２１や各種のローラを含む駆動系を駆動する駆動機構（図示せず）と、ファクシミリ装置１を制御する制御ユニット（図示せず）とが設けられている。
【００３７】
前記フィーダユニット１０は、本体ケース２の後端部の上部のフィーダ部ケース２ａ内に用紙押圧板１１が配設され、その用紙押圧板１１の前端部は圧縮バネ１２により上側に弾性付勢され、用紙３を給紙する給紙ローラ１３が回転自在に枢支されている。この給紙ローラ１３は、図示しない駆動機構により、所定の給紙タイミングで回転駆動されるようになっている。
【００３８】
そして、そのフィーダ部ケース２ａ内に、定形カット紙からなる用紙３を複数枚収容可能な給紙カセット１４が傾斜状態で着脱自在に装着され、給紙ローラ１３の回転により、給紙カセット１４に収容された用紙３が１枚ずつ給紙される。給紙ローラ１３よりも搬送方向（図７において、後方から前方向き）下流側には、給紙された用紙３の先端を揃える１対のレジストローラ１５が回転可能に夫々枢支されている。
【００３９】
次に、レーザプリンタ２０は、円筒形状の感光ドラム２１と、その感光ドラム２１上に静電潜像を形成するレーザスキャナユニット２５と、トナーボックス３５と、現像ローラ４３を有する現像ユニット４０と、感光ドラム２１上のトナー画像を用紙３に転写する転写ローラ４５と、定着ユニット５０と、これら感光ドラム２１や現像ローラ４３などを駆動する駆動機構（図示せず）を備えている。
【００４０】
感光ドラム２１は、アルミ製の円筒スリーブの外周部に、ポリカーボネートに光導電性樹脂を分散させた所定厚さ（例えば、約２０μｍ）の光導電層を形成した中空状のものであり、本体ケース２に回転自在に枢支されている。即ち、感光ドラム２１上に形成されたプラス極性の静電潜像に対して、プラス極性に帯電したトナー３７を反転現像方式で現像するように構成されている。
【００４１】
レーザスキャナユニット２５は、感光ドラム２１の下側に配設され、感光ドラム２１上に静電潜像を形成するためのレーザ光Ｒを発生する半導体レーザ発光器２６、回転駆動されるポリゴンミラー２７（５面体ミラー）、１対のレンズ２８，２９、１対の反射ミラー３０，３１などから構成され、半導体レーザ発光器２６から出射したレーザ光Ｒを主走査することで感光ドラム２１上に静電潜像を形成することができる。
【００４２】
一方、感光ドラム２１上のレーザ光Ｒが照射される位置よりも、回転方向進角側の位置には、タングステンなどからなる帯電用ワイヤからコロナ放電を発生させるスコロトロン型の帯電器３２が設けられ、その帯電器３２よりも更に回転方向進角側の位置には、除電ランプ３３が設けられている。
【００４３】
次に、トナーボックス３５と、感光ドラム２１の直ぐ後側に配設された現像ユニット４０について説明する。
【００４４】
現像部ケース２ｂには、回転駆動されるアジテータ３６と、電気絶縁性を有する絶縁性のトナー３７とを収容した２重円筒状のトナーボックス３５が着脱可能に装着され、そのトナーボックス３５の前側には、トナーボックス３５に形成されたトナー供給口を介してアジテータ３６の回転により供給されたトナー３７を収容するトナー貯蔵室４１が形成され、そのトナー貯蔵室４１には、供給ローラ４２が回転可能に枢支され、更にそのトナー貯蔵室４１の前側を仕切るように且つ供給ローラ４２と感光ドラム２１とに夫々接するように、現像ローラ４３が回転可能に枢支されている。ここで、前記トナー３７は、その粒径を７〜１０μｍとする合成樹脂製であり、また、供給ローラ４２と現像ローラ４３とは、導電性を有するゴム製である。
【００４５】
一方、現像部ケース２ｂには、ステンレス製またはリン青銅製の薄い板状の弾性を有する層厚規制ブレード４４が下向きに取り付けられ、その下端部に形成された屈曲部が現像ローラ４３に押圧状に接触しており、供給ローラ４２から供給されて現像ローラ４３の表面に層状に付着したトナー３７の層厚が、この層厚規制ブレード４４で規制される。
【００４６】
ところで、現像ユニット４０の直ぐ下側には、冷却用ファン５が設けられ、この冷却用ファン５の駆動により特にトナーボックス３５を冷却することにより、トナー３７の温度上昇による凝固を防止して、画像品質の低下を防ぐようになっている。また、トナーボックス３５の直ぐ下側に、トナーボックス３５に近接状にサーミスタからなるトナー温度検出センサ６が設けられ、このトナー温度検出センサ６によりトナー３７の温度を反映する温度を検出するようになっている。
【００４７】
そして、感光ドラム２１、供給ローラ４２、現像ローラ４３などが駆動機構により夫々所定回転方向に駆動されるので、トナー３７の各トナー粒子は、供給ローラ４２と現像ローラ４３との擦り付けにより、また層厚規制ブレード４４の現像ローラ４３への押圧摩擦によりプラス極性に帯電され、このプラス極性に帯電したトナー３７が、レーザ光Ｒにより感光ドラム２１上に形成された静電潜像に付着して、反転現像方式で現像される。
【００４８】
次に、導電性を有するゴム製の転写ローラ４５は、感光ドラム２１の上側に接するように設けられて回転自在に枢支され、感光ドラム２１上のトナー画像がこの転写ローラ４５により、用紙３に確実に転写されるようになっている。
【００４９】
定着ユニット５０は、感光ドラム２１よりも搬送方向下流側に設けられ、ハロゲンランプなどの定着ヒータ５１を内蔵した加熱用ローラ５２と押圧ローラ５３とからなり、用紙３の下面に転写されたトナー画像が押圧と同時に加熱されて用紙３に定着される。ここで、加熱用ローラ５２に近接状にサーミスタからなるヒータ温度検出センサ７が設けられ、このヒータ温度検出センサ７により加熱用ローラ５２の表面温度を検出するようになっている。
【００５０】
そして、その定着ユニット５０の搬送方向下流側には、用紙搬送用の１対の搬送ローラ５５と、排紙トレイ５６とが夫々設けられている。ここで、給紙ローラ１３、レジストローラ１５、供給ローラ４２、現像ローラ４３、転写ローラ４５、押圧ローラ５３、搬送ローラ５５は、具体的に図示していないが、ＬＦ用モータによりギヤ機構を介して夫々回転駆動される。
【００５１】
続いて、原稿４を搬送する原稿分離装置６０と、原稿読み取り装置７０とについて説明する。
【００５２】
前記本体ケース２の前側の上部には、電源スイッチ、モード設定スイッチ、テンキー及び各種の機能キーが設けられたキーボード８ａや液晶ディスプレイ８ｂを有する操作パネル８が設けられ、その操作パネル８の下側に、原稿挿入ガイド部６１の載せられた原稿４を分離する原稿分離装置６０と、原稿４に記録されている画像（文字や図面等の情報）が記載されたを読み取る原稿読み取り装置７０とが設けられている。
【００５３】
前記原稿挿入ガイド部６１に載せられた原稿４は、上下１対の原稿送りローラ６２、原稿を案内するペーパーガイド６３及び１対の原稿排出ローラ６４により、原稿読み取り装置７０による原稿読み取り位置へ送られるようになっており、これらによって、搬送経路に沿って原稿を搬送するための搬送手段が構成されている。尚、前記原稿送りローラ６２及び原稿排出ローラ６４は、具体的に図示していないが、制御ユニットによって駆動制御される原稿搬送モータによりギヤ機構を介して回転駆動される。
【００５４】
前記原稿挿入ガイド部６１から挿入される原稿４の搬送方向下流側端部付近には、図８（ａ）（ｂ）に詳細を示すように、前記原稿挿入ガイド部６１から、原稿４を取り出す原稿分離ローラ６５が設けられ、その上方に、原稿分離ローラ６５が取り出す原稿４を一枚ずつに分離するための、例えば、表面の摩擦係数の大きいシリコンゴムなどからなる分離片６６が配設されている。分離片６６は、原稿４の繰り出し方向から傾斜する状態で原稿分離ローラ６５の外周に当接している。
【００５５】
前記原稿挿入ガイド部６１の連続するペーパガイド６３は、その先端部に、先端部分が前記分離片６６付近まで延びるフィルム状の延長板６７が設けられている。前記延長板６７は、搬送される原稿４の幅方向の略中央に接触するようになっており、原稿４をバランスよく支持して案内するようになっている。これによって、先端がカールした原稿が原稿分離ローラ６５に引っかかったり、下側に位置する複数枚の原稿４が逆くさび状になるが回避される。よって、複数枚の原稿４が同時に原稿分離ローラ６５に接触するということがなくなる。ここで、前記延長板６７は、複数枚積層された原稿４の最も下のものがスムーズに原稿分離ローラ６５に接触する位置まですべり込めるよう充分摩擦係数の小さな表面を有する可撓性の合成樹脂フィルム（厚さ5/180mm程度のＰＥＴフィルム）からなり、
前記ペーパガイド６３の先端部に基端部分が接着されている。
【００５６】
また、前記分離片６６には、分離片６６を原稿分離ローラ６５側へ押圧付勢する付勢手段として、分離片６６の上側面に一部が当接される板バネ６８Ａが設けられ、該板バネ６８Ａに、それの振動を抑制する防振手段としてブロック形状の防振ゴム６９が接着固定されている。
【００５７】
前記板バネ６８Ａは、一端部が分離片６６の基端部とともにフレームに取り付けられる支持部６８ａと、該支持部６８ａの他端部に連設され分離片６６に接触して該分離片６６を原稿分離ローラ６５側に付勢する屈曲形状の付勢部６８ｂとを有するもので、防振性能を高めるために前記防振ゴム６９は板バネ６８Ａの支持部６８ａの一端部付近に設けられている。また、前記分離片６６の両側には、原稿４が薄い場合にその原稿４を原稿分離ローラ６５に確実に押し付ける付勢部材として、原稿４に当接される左右１対の板バネ６８Ｂが設けられている。尚、この１対の板バネ６８Ｂは、前記板バネ６８Ａと一体的に形成されている。
【００５８】
また、原稿読み取り装置７０は、搬送経路の途中すなわち原稿分離装置６０の下流側に配設されており、従来と同様な構造の密着型イメージセンサ７１（ＣＩＳ）を備えるものである。尚、前記イメージセンサ７１は、原稿４に記載されている画像を読み取り、画像信号を制御ユニットに供給するものである。
【００５９】
このイメージセンサ７１は、操作パネル８の下側に位置し、原稿４全体にわたって画像の読み取りが可能なるように紙面の手前側から奥に向かって原稿幅（例えばＡ４サイズ）の長さを有する。イメージセンサ７１と操作パネル８との間には、イメージセンサ７１の読み取り面７１ａに向かって原稿４を押圧する原稿押さえ部材７２が配設されている。
【００６０】
原稿押さえ部材７２は、前記読み取り面７１ａに対向して配設され、前記読み取り面７１ａに原稿を押圧するための平面部７２ａと、該平面部７２ａに連続してその原稿挿入側に形成され原稿４を前記平面部７２ａへと案内するために原稿搬送方向と逆の方向に向かって徐々に搬送経路を拡張する傾斜面部７２ｂを備える。原稿押さえ部材７２は、当該部材７２における原稿搬送方向の上流側端部すなわち傾斜面部７２ｂの搬送方向上流側端部において、搬送方向に直交する軸線回りに回転可能なるように支持されている。さらに、原稿押さえ部材７２は、平面部７２ａより搬送方向下流側に延びる係止部７２ｃを有し、該係止部７２ｃの先端部がフレーム２ｃに形成された被係合孔２ｄに一定の範囲で上下方向に移動可能に係合せしめられ、それらの係合関係で原稿押さえ部材７２の上下方向の可動範囲が規制されるようになっている。
【００６１】
また、原稿押さえ部材７２には、その平面部７２ａを、イメージセンサ７１の読み取り面７１ａに対して押圧する押圧部材としてコイルスプリング７４が配設されている。このコイルスプリング７４は、原稿押さえ部材７２における平面部７２ａの搬送方向の下流側端部付近に設けられており、一端部が原稿押さえ部材７２の、原稿搬送方向に直交する方向のほぼ中央部分に係合されている。
【００６２】
尚、ファクシミリ装置１を制御する制御ユニットには、ＣＰＵと、記録制御や原稿読み取り制御等の各種の制御プログラムを含み、ファクシミリ装置１を制御する複数の制御プログラムを記憶したＲＯＭと、ＲＡＭとを含むマイクロコンピュータが設けられている。
【００６３】
上記のように構成すれば、第１のカバー８２（本体）側の係合凹部９６が、第２のカバー９４の前記係合ピン９５側に開口する断面Ｕ字形状の溝部９６ａを有し、スペース的に余裕のある第２のカバー９４の開放される側から、第２のカバー９４の回転軸部９５を溝部９６ａに挿入するようになるので、第２カバー９４の回転軸部９５を第１のカバー８２の溝部９６ａに無理なく挿入される。特に、溝部９６ａが係合ピン９５側すなわち前方に開口するようにしているので、その挿入組立時に周辺部品などとの干渉を考慮する必要がなく、設計上の制約が少なくなり、設計の自由度が高くなる。
【００６４】
また、第２のカバー９４は、回転軸部９５と溝部９６ａとの係合関係、ガイド孔９８ａと係合ピン９７との係合関係により支持されているので、前記第２のカバー９４の開閉により、前記回転軸部９５及び係合ピン９７が前記溝部９６ａ及びガイド孔９８ａ内を移動して、開閉動作をスムーズに行わせる。
【００６５】
すなわち、第２のカバー９４を第１のカバー８２（本体）側に装着する際には、第２のカバー９４の回転軸部９５を第１のカバー８２の係合凹部９６の溝部９６ａに挿入した状態で第２のカバー９４を閉じる方向に付勢することによって、図６（ｂ）に示すように、係合ピン９７が突出板部９８のガイド孔９８ａに係合される。この際、図６（ａ）に示すように、前記突出板部９８が係合ピン９７に向けて付勢力ｆ１で付勢されると、係合ピン９７の案内面９７ａに当接した前記突出板部９８の先端部９８ｅは前記案内面９７ａの斜面に沿って図６（ａ）における矢印Ｆのように押し広げられつつ前記係合ピン９７の先端側に移動せしめられ、ついには係合ピン９７がガイド孔９８ａに無理なく係合されるので、組立が容易である。
【００６６】
しかも、前紀係合ピン９７の案内面９７ａが、前記溝部９６ａが位置する側とは反対側の部分にのみ形成されている。したがって、第２のカバー９４の開閉の際、特に前記突出板部９８が前記係合ピン９７から抜けようとする方向に力ｆ２を受けた際において、その突出板部９８のガイド孔９８ａ側の内壁面９８ｄは、前記係合ピン９７に対して、前記案内面９７ａには当接せずその反対側のＤカット部９７ｂに当接するので、前記突出板部９８の先端部９８ｅには力ｆ２によっては装着時の矢印Ｆのような押し広げる力が発生しないため、突出板部９８のガイド孔９８ａより係合ピン９７が抜けるのが防止される。
【００６７】
ところで、従来、この手のカバー部材の本体に対する取り付け部分は、装着のしやすさと抜け防止の観点から、図９に示すように、係合ピンｌ０６の先端を円錐状、又は円柱を斜めにカットして斜面を設けた形状にすることにより突出板部ｌ０５のガイド孔１０５ａに容易に弾性的に係合できるようにすると共に、係合ピン１０６は突出板部１０５のガイド孔１０５ａに弾性的に係合しやすくしている関係上、係合時と逆方向の力を受けたときには抜けやすいので、カバー１０１の抜ける方向に係合凹部１０４の底部を向け、カバー１０１が図９における右方向（抜ける方向）に力を受けても軸部１０２ａがその係合凹部１０４の底部に引っかかることにより抜け止めストッパーの役割を果たさせるように構成されていた。
【００６８】
これに対し、上述の構成を有する本実施形態においては、第２のカバー９４を引き抜く方向の力ｆ２が加わっても、前記突出板部９８の内壁面９８ｄは、斜面又は曲面状の前記案内面９７ａではなく、前記Ｄカット部９７ｂに対して、互いの稜線及び面が直面するように当接するため、この当接部において前記突出板部９８の先端部９８ｅを押し広げる力は発生しない。したがって、かかる構成によれば、回転軸部９５及び係合凹部９６の溝部９６ａを抜け止めストッパーとして用いる必要がないことから、図５に示すように、前記係合凹部９６の溝部９６ａは図７における前方側を開口部とする略Ｕ字形状とすることができる。よって、前記第２のカバー９４よりも後方側で前記係合凹部９６ａの至近に他の部品等を配置しても前記第２のカバー９４の着脱が容易となるので、装置構成の設計自由度を高めることができると共に装置全体の小型化にも貢献する。
【００６９】
さらに、第２のカバー９４が開放された状態では、突出板部９８の第１の切り欠き９８ｂに板バネ部材９９の先端係合部９９ａが係脱可能に係合され、その係合関係によって第２のカバー９４の開放状態が弾性的に維持され、不用意に落下することがないし、また、第２のカバー９４が閉じられた状態では、第２の切り欠き９８ｃに先端係合部９９ａが係脱可能に係合することで、第２のカバー９４の閉止状態が弾性的に維持され、不用意に第２のカバー９４が開放することがない。よって、板バネ部材９９のバネ力によって、第２のカバー９４を第１のカバー８２に対し節度をもって開閉することができる。
【００７０】
前記実施の形態は、本発明に係るカバーの開閉装置をファクシミリ装置に適用したものであるが、本発明はそれに限定されるものではなく、プリンタ、複写機、あるいはそれらの複数の機能を備えた機器などに用いることができる。
【００７１】
【発明の効果】
本発明は、以上に説明したような形態で実施され、以下に述べるような効果を奏する。
【００７２】
請求項１の発明は、本体の係合凹部を、係合ピン側に開口し前記軸部を移動可能に支持する断面Ｕ字形状の溝部としているので、カバーに形成された軸部を係合凹部に無理なく挿入することができる。
【００７３】
請求項２の発明は、ガイド孔を略円弧形状の長孔とし、カバーの開閉により、カバーの軸部及び係合ピンが前記溝部及びガイド孔内を移動するようにしているので、カバーの軸部及び係合ピンを前記溝部及びガイド孔内を移動させることで、カバーの開閉を無理なくかつ確実に行うことができる。
【００７４】
請求項３の発明は、係合ピンがガイド孔に係合される際に、係合ピンの案内面によって、前記突出板部を前記係合ピンの先端側に移動させるようになっているので、係合ピンをガイド孔に無理なく係合することができる。
【００７５】
請求項４の発明は、係合ピンの案内面を、前記溝部が位置する側とは反対側の部分にのみ形成しているので、カバーの開閉の際に、前記案内面に案内されて突出板部が係合ピンよりも抜けるのを防止することができる。
【００７６】
請求項５の発明は、カバーを本体に対し開放した状態では、突出板部の第１の切り欠きに板バネ部材の係合部が係合する一方、カバーが本体に対し閉じられた状態では、第２の切り欠きに係合部が係合するようにしているので、板バネ部材のバネ力によってカバーを節度をもって開閉することができ、操作者は明確に開閉感を得ることができる。
【図面の簡単な説明】
【図１】  本発明に係るカバーの開閉装置を採用する画像形成装置の一例としてのファクシミリ装置における、内部構造を省略して示す第１のカバーの開閉装置の説明図である。
【図２】  同装置において第１のカバーが開放された状態を示す説明図である。
【図３】  第１のカバーの開閉装置の要部拡大図である。
【図４】  本発明に係るストッパ部材の取り付けの説明図である。
【図５】  本発明に係る第２のカバーの開閉装置を示す説明図である。
【図６】  （ａ）（ｂ）は本発明に係る第２のカバー装置の要部の動作説明図である。
【図７】  本発明に係るファクシミリ装置の内部構造の説明図である。
【図８】  （ａ）は本発明に係るファクシミリ装置が備える用紙分離装置及び原稿読み取り装置の説明図、（ｂ）は分離片を下側から見た図である。
【図９】  従来のカバーの開閉装置の説明図である。
【符号の説明】
１    ファクシミリ装置
８２    第１のカバー
９４    第２のカバー
９５    回転軸部
９５ａ  延長部
９６    係合凹部
９６ａ  溝部
９７    係合ピン
９７ａ  案内面
９８    突出板部
９８ａ  ガイド孔
９８ｂ  第１の切り欠き
９８ｃ  第２の切り欠き
９９    板バネ部材
９９ａ  先端係合部
【図１】
0003956481.tif 000002
【図２】
0003956481.tif 000003
【図３】
0003956481.tif 000004
【図４】
0003956481.tif 000005
【図５】
0003956481.tif 000006
【図６】
0003956481.tif 000007
【図７】
0003956481.tif 000008
【図８】
0003956481.tif 000009
【図９】
0003956481.tif 000010